(57)【要約】      （修正有）【課題】ごみ置き場や倉庫などで室内の電灯の常時点灯による電気の無駄をなくし、また入退室時にスイッチを操作する方法における操作の不安や消し忘れを解消するキースイッチを提供する。【解決手段】ストライクボックスを２重構造にし、内側ストライクボックス２の開口部にマイクロスイッチ１を取り付けて、内側ストライクボックス２を外側ストライクボックス３の内奥面開口部に装着し、該マイクロスイッチ１のＮＣ（常時閉路端子）１０５とＣＯＭ（共通端子）１０４に接続した電源回路１０６を設ける。シリンダー錠５を開錠している状態ではマイクロスイッチ１の回路がＯＮの状態であり、室内の電灯が点灯する。鍵を掛けて施錠している状態ではデットボルト６がストライクボックス３の中に嵌挿することで、マイクロスイッチ１のアクチュエータ１０１を押圧してマイクロスイッチ１の回路がＯＦＦの状態になり、室内の電灯は消灯する。【選択図】図２
2007032238.tif 000002
【特許請求の範囲】
【請求項１】
ドアー類の錠前に設けたストライクボックスの内奥にマイクロスイッチを取り付けて、該マイクロスイッチのＮＣ（常時閉路端子）とＣＯＭ（共通端子）に接続した電源回路を設け、鍵が開いている状態では該マイクロスイッチ回路がＯＮの状態であり室内の電灯が点灯するが、鍵を閉めた状態ではデットボルトがストライクボックスの中に嵌挿することで、該マイクロスイッチのアクチュエータを押圧して、マイクロスイッチ回路がＯＦＦの状態になり、室内の電灯が消灯することを特徴とするキースイッチ。
【請求項２】
前項の該ストライクボックスの形状は、略相似形の２重構造で形成し、外側ストライクボックスの内奥面に開口部を設け、該開口部の上下２箇所に雌ネジを設け、内側ストライクボックスの底側（内奥側）から外側ストライクボックスの内奥面該開口部に挿入して、内側ストライクボックスを２本のボルトで外側ストライクボックスの該雌ネジに取り付ける構造を成し、該内側ストライクボックスの前面開口部に該マイクロスイッチを装填し、該２本のボルトはアジャスターの働きを有していて、横位置（奥行き）を調節可能にして、該マイクロスイッチのアクチュエータを作用させるレバー先端のローラーとデッドボルトとの接触調整できることを特徴とするキースイッチ。
【発明の詳細な説明】
【技術分野】
【０００１】  本発明は、ドアー類の鍵を閉めることで電源回路を自動的にＯＦＦにして室内の電灯を消灯し、ドアーの鍵を開けたときには電源回路を自動的にＯＮにして室内の電灯を点灯する働きを有するスイッチに関するものである。
【背景技術】
【０００２】  ごみ置き場や倉庫などにおいては、ドアーを開けて入室時に電灯スイッチをＯＮにして点灯し、退室時に電灯スイッチをＯＦＦにして消灯する方法か、又は常時点灯している方法が一般的である。
【発明の開示】
【発明が解決しようとする課題】
【０００３】  該ごみ置き場や倉庫などの電灯を常時点灯している方法は、ドアーを開けたときに室内が明るいので安心感があるが、電気を無駄に消費しているので不経済である。【０００４】  入退室時にスイッチを操作する方法は、暗がりで該スイッチを探してＯＮにしなければならないので、特に女性は身の不安を覚えることがある。また、消し忘れも発生するので不経済である。
【課題を解決するための手段】
【０００５】  該ごみ置き場や倉庫は、部外者の侵入を防止するために、入り口のドアーは鍵を掛けて部外者が入れないようにしているのが一般的である。【０００６】  ドアーに鍵を掛ける施錠の仕組みは、シリンダー錠にキーを差し入れて回すことでデッドボルトが突出して、ストライクおよびストライクボックスに該デッドボルトを嵌挿することで施錠する方法が一般的である。【０００７】  本発明は、ストライクボックスを略相似形の２重構造にし、内側ストライクボックスの開口部にマイクロスイッチを取り付けて、外側ストライクボックスの内奥面開口部に内側ストライクボックスの底側から挿入して、アジャスター機能を有する２本のボルトで内側ストライクボックスを外側ストライクボックスの内奥面上下２箇所に設けた雌ネジに取り付けて内側ストライクボックスの横位置（奥行き）を調節可能にし、該マイクロスイッチのＮＣ（常時閉路端子）とＣＯＭ（共通端子）に電源回路を接続して、鍵を開けている状態では該マイクロスイッチ回路がＯＮの状態であり、室内の電灯が点灯する。【０００８】  鍵を掛けて閉めた状態では、該デットボルトが該ストライクボックスの内奥に嵌挿することで、該マイクロスイッチのアクチュエータを押圧して、該マイクロスイッチ回路がＯＦＦの状態になり室内の電灯を消灯するという方法で問題を解決する。
【発明の効果】
【０００９】  該ごみ置き場や倉庫の鍵を掛けて閉めた状態では自動的に消灯し、鍵を開けた状態では自動的に点灯するので室内が明るくて安心感があり、経済的である。
【発明を実施するための最良の形態】
【００１０】  ドアーを施錠している状態では自動的に消灯し、ドアーを開錠した状態では自動的に点灯する必要があるごみ置き場や倉庫で本発明を実施するのが効果的である。
【実施例１】
【００１１】  図１は、本発明を一般的なドアーのストライクボックスの代替として取り付けた場合の分解図による概説明図であり、図２は、横断面図による概説明図である。【００１２】  マイクロスイッチ１は、内側ストライクボックス２の開口部に固定ボルト２０５、２０６で取り付ける。【００１３】  電源回路１０６は、マイクロスイッチ１のＣＯＭ（共通端子）１０４とＮＣ（常時閉路端子）１０５に接続する。【００１４】  内側ストライクボックス２は、外側ストライクボックス３の内奥面に設けた開口部にアジャスター２０１、２０２のボルトで取り付け、アジャスター２０１、２０２を調節することでマイクロスイッチ１の横位置（奥行き）を調節可能にする。【００１５】  ドアー１０のシリンダー錠５を開錠した状態では、マイクロスイッチ１は常時閉路状態にあるので電源回路はＯＮであり、点灯する。【００１６】  ドアー１０のシリンダー錠５を施錠した状態では、マイクロスイッチ１は、レバー１０２に取り付けたローラー１０３をデッドボルト６が押圧することで、アクチュエータ１０１を押圧して、ＮＣ（常時閉路端子）１０５に接続した電源回路１０６をＯＦＦに作用するので、消灯状態になる。
【図面の簡単な説明】
【００１７】
【図１】  本発明をドアー外枠ストライクボックスの代替として装着した場合の分解斜視図。
【図２】  本発明の側面断面図による説明図。
【符号の説明】
【００１８】  １        マイクロスイッチ
１０１    アクチュエータ
１０２    レバー
１０３    ローラー
１０４    ＣＯＭ（共通端子）
１０５    ＮＣ（常時閉路端子）
１０６    電源回路
１０７    取り付け穴
１０８    取り付け穴
２        内側ストライクボックス
２０１    アジャスター（ボルト）
２０２    アジャスター（ボルト）
２０３    アジャスター嵌挿穴
２０４    アジャスター嵌挿穴
２０５    固定ボルト
２０６    固定ボルト
２０７    内側ストライクボックスの底側（内奥側）
３        外側ストライクボックス
３０１    取り付け穴
３０２    取り付け穴
３０３    雌ネジ
３０４    雌ネジ
３０５    外側ストライクボックスの内奥面開口部
４        ストライク
４０１    取り付けネジ
４０２    取り付けネジ
４０３    取り付け穴
４０４    取り付け穴
５        シリンダー錠
６        デッドボルト
７        ノブ
８        ラッチボルト
９        壁
９０１    切り込み
１０        ドアー
【図１】
2007032238.tif 000003
【図２】
2007032238.tif 000004